(57)【特許請求の範囲】
【請求項１】
カメラのベース部に複数枚のフレキシブル基板が重ねられてカメラ内に配設されるフレキシブル基板の接続構造において、
前記フレキシブル基板には、一対の孔が形成され、
前記ベース部には、前記一対の孔に挿入される一対のピン部材が前記一対の孔の間隔よりも広い間隔で突設されるとともに、前記一対のピン部材のうちの一方のピン部材には、前記ピン部材同士が対向する側と反対側の外周面に溝が形成され、
該溝に前記複数枚のフレキシブル基板の一方の孔の内周縁が嵌合された状態で前記複数のフレキシブル基板が前記ベース部に固定されることを特徴とするカメラ内に配設されるフレキシブル基板の接続構造。
【発明の詳細な説明】
【０００１】
【発明の属する技術分野】
本発明はカメラ内に配設されるフレキシブル基板の接続構造に係り、特に重ねて配設される複数枚のフレキシブル基板の接続構造に関する。
【０００２】
【従来の技術】
特開平１１−８４２１５号公報には、ズーム位置検出装置を備えたレンズ装置が記載されている。ズーム位置検出装置は、ズーム時に回転するコード板と、このコード板に摺動するように固定された摺動ブラシとから構成されており、コード板に形成された導体パターンを摺動ブラシで読み取ることによってズーム位置が検出される。
【０００３】
このようなレンズ装置では、複数枚のフレキシブル基板を重ねて使用する構成が一般的になっている。複数枚のフレキシブル基板は、互いの基板端子部の位置が合うようにベース部に重ねられた後、各基板端子部が半田によって接合される。
【０００４】
フレキシブル基板を取り付けるベース部の材料としては、以前からプラスチック材料が使用されていた。プラスチック製のベース部には、フレキシブル基板を係合させるための突起が小さく（例えばφ１ｍｍ程度に）形成される。この突起にフレキシブル基板を係合させることによって、フレキシブル基板が位置決めされる。
【０００５】
ところで、レンズ装置が小型化されるに伴い、ベース部が薄肉になって強度が足りなくなったため、現在では、金属製のベース部が使用されている。金属製のベース部を使用した場合には、フレキシブル基板を係合させるための突起を小さく加工することが難しい。そこで、図１１に示すように、フレキシブル基板１、２、３をベース部４の上に重ねた後、基板端子部１ａの位置と基板端子部２ａの位置、及び基板端子部１ｂの位置と基板端子部３ｂの位置とを合わせながら、ねじ５、６、７によって３カ所をねじ止めしていた。
【０００６】
【発明が解決しようとする課題】
しかしながら、複数枚のフレキシブル基板１、２、３の位置決めとねじ止めを同時に行う作業は、非常に困難であり、組立性能が著しく悪かった。
【０００７】
本発明はこのような事情に鑑みてなされたもので、カメラ内に重ねて配設される複数枚のフレキシブル基板を効率よく位置決めして接続できるフレキシブル基板の接続構造を提供することを目的とする。
【０００８】
【課題を解決するための手段】
本発明は前記目的を達成するために、カメラのベース部に複数枚のフレキシブル基板が重ねられてカメラ内に配設されるフレキシブル基板の接続構造において、前記フレキシブル基板には、一対の孔が形成され、前記ベース部には、前記一対の孔に挿入される一対のピン部材が前記一対の孔の間隔よりも広い間隔で突設されるとともに、前記一対のピン部材のうちの一方のピン部材には、前記ピン部材同士が対向する側と反対側の外周面に溝が形成され、該溝に前記複数枚のフレキシブル基板の一方の孔の内周縁が嵌合された状態で前記複数のフレキシブル基板が前記ベース部に固定されることを特徴としている。
【０００９】
本発明によれば、フレキシブル基板に形成された一対の孔のうちの一方の孔に、溝を有するピン部材を挿入させた後、このフレキシブル基板をピン部材の溝に掛けながら、もう一方の孔に他方のピン部材を挿入させることによって、フレキシブル基板を位置決めした状態でベース部に取り付けることができる。複数のフレキシブル基板をベース部に取り付けることによって、複数枚のフレキシブル基板が位置決めされた状態で重ね合わされるので、ねじ等によって１カ所固定するだけで、位置決めされた複数枚のフレキシブル基板を同時に固定できる。これにより、複数枚のフレキシブル基板を用いたカメラの組立効率を向上させることができる。
【００１０】
【発明の実施の形態】
以下、添付図面に従って本発明に係るカメラ内に配設されるフレキシブル基板の接続構造の好ましい実施の形態について詳説する。
【００１１】
図１は、本発明に係るフレキシブル基板の接続構造が適用された電子スチルカメラ１０１の外観図であり、この電子スチルカメラ１０１のカメラ本体１０１Ａは、矩形の箱型に形成されている。本体１０１Ａの前面にはレンズ装置１０２、ファインダ窓１０３、ストロボ調光センサ１０４、セルフタイマーランプ１０５が所定の位置に配設されている。また、本体１０１Ａの上面にはポップアップ式のストロボ１０６やレリーズスイッチ１０７が配設され、本体１０１Ａの背面には、図示しないファインダ接眼部や液晶表示パネル、操作キーなどが所定の位置にそれぞれ配設されている。レンズ装置１０２は、沈胴／繰り出し式のものであり、使用時にのみレンズ筒１２及び移動筒１４（図２参照）が本体１０１Ａの前面から前方（被写体方向）に繰り出される。
【００１２】
図２、図３、図４はそれぞれレンズ装置１０２の正面図、左側面図、平面図である。これらの図に示すように、レンズ装置１０２は、レンズ筒１２、移動筒１４、固定筒１６、回転筒１８を備えている。
【００１３】
回転筒１８の外周には、ギヤ部１８ａが形成されており、このギヤ部１８ａにズーム用モータ２０の駆動力が伝達される。回転筒１８は、ズーム用モータ２０の駆動力が伝達されることで固定筒１６の外周に接しながら回転される。移動筒１４は、回転筒１８の回転に連動して回転しながら、固定筒１６に対して光軸の方向に移動する。レンズ筒１２は、移動筒１４が回転することで移動筒１４に対して光軸の方向に直進的に移動する。
【００１４】
レンズ装置１０２は、回転筒１８が『初期位置』から『中間位置』までの『収納回転域』で回転することで、沈胴位置の状態からテレ位置の状態に変更される。また、回転筒１８が『中間位置』から『終端位置』までの『変倍回転域』で回転することでテレ位置からワイド位置の状態に変更される。
【００１５】
ところで、レンズ装置１０２には、図５に示すように、ＣＣＤ用フレキシブル基板（以下、ＣＣＤフレキと称す）２２、メイン用フレキシブル基板（以下、メインフレキと称す）２４、フォーカス駆動用フレキシブル基板（以下、フォーカスフレキと称す）２６、シャッター駆動用フレキシブル基板（以下、シャッターフレキと称す）２８が使用されている。
【００１６】
ＣＣＤフレキ２２は、不図示のＣＣＤ（固体撮像素子）が内側に取り付けられており、押さえ板２１によって固定されている。
【００１７】
フォーカスフレキ２６、及びシャッターフレキ２８は、固定筒１６の内部に設けられたアクチュエータ（不図示）に接続されており、開口１７から外部に引き出される。
【００１８】
図６はフォーカスフレキ２６の展開図であり、図７はシャッターフレキ２８の展開図である。これらの図に示すように、フォーカスフレキ２６、及びシャッターフレキ２８は、略直線状に形成されており、その幅は、開口１７の幅よりも小さく形成される。開口１７から引き出されたフォーカスフレキ２６、及びシャッターフレキ２８は、複数回折り曲げられ、レンズ装置１０２の左側面に導かれる。フォーカスフレキ２６、シャッターフレキ２８の折り曲げ回数は、開口１７から引き出された際の基板端子部２７、２９の向きによって決定される。例えば、レンズ装置１０２の左側面から見た際に、図６に示したフォーカスフレキ２６の如く、基板端子部２７が表面にあった場合には奇数回（三回）折り曲げられ、図７に示したシャッターフレキ２８の如く、基板端子部２９が裏面にあった場合には偶数回（四回）折り曲げられる。これにより、図５の開口１６ａから引き出されたフォーカスフレキ２６、及びシャッターフレキ２８がレンズ装置１０２のベース板金３０に接しながらレンズ装置１０２の左側面に導かれ、フォーカスフレキ２６の基板端子部２７、及びシャッターフレキ２８の基板端子部２９が外表面に配置される。なお、図６及び図７において二点鎖線Ａは、ベース板金３０に沿って９０°に折り曲げられる折曲線を示し、二点鎖線Ｂは、ベース板金３０に接しながら１８０°に折り曲げられる折曲線を示している。
【００１９】
図３及び図８に示すように、レンズ装置１０２の左側面には、金属製のベース板金３０が設けられ、このベース板金３０にプラスチック製の位置決め部材３２が取り付けられている。位置決め部材３２は、図９に示すように、突設された一対のピン部材３２ａ、３２ｂを備えている。一対のピン部材３２ａ、３２ｂのうち、レンズ装置１０２の前方側に配置されるピン部材３２ａには、前方側の外周面に溝３６が形成されている。位置決め部材３２は、一対のピン部材３２ａ、３２ｂをレンズ装置１０２の内側からベース板金３０の孔３０ａ、３０ｂに挿入した後、ねじ３６によって固定される。
【００２０】
フォーカスフレキ２６、シャッターフレキ２８、及びメインフレキ２４は、ピン部材３２ａ、３２ｂに挿入されて位置決めされる。すなわち、フォーカスフレキ２６には、図６に示す如く、ピン部材３２ａに挿入される孔２６ａが形成され、シャッターフレキ２８には、図７に示す如く、ピン部材３２ａ、３２ｂがそれぞれ挿入される孔２８ａ、２８ｂが形成されている。一対の孔２８ａ、２８ｂの間隔Ｄ２は、一対のピン部材３２ａ、３２ｂの間隔Ｄ１（図８参照）よりも若干小さく形成される。また、メインフレキ２４には、図８に示す如く、ピン部材３２ａ、３２ｂがそれぞれ挿入される一対の孔２４ａ、２４ｂが形成されている。メインフレキ２４の一対の孔２４ａ、２４ａの間隔は、シャッターフレキ２８の一対の孔２８ａ、２８ｂの間隔Ｄ２と同じ寸法で形成されている。
【００２１】
また、フォーカスフレキ２６には、図７に示す如く、ねじ３８が挿通される孔２６ｃが形成され、メインフレキ２４には、図８に示す如く、ねじ３８が挿通される孔２４ｃが形成される。
【００２２】
図３に示すように、メインフレキ２４は、フォーカスフレキ２６の基板端子部２７（図６参照）に接合される基板端子部２５ａと、シャッターフレキ２８の基板端子部２９（図７参照）に接合される基板端子部２５ｂとを備えている。また、メインフレキ２４は、デジタルスチルカメラ装置１の電子部品（不図示）に連結されるコネクタ部２３を備えている。
【００２３】
次に、メインフレキ２４、フォーカスフレキ２６、及びシャッターフレキ２８の組付方法について説明する。
【００２４】
まず、フォーカスフレキ２６の孔２６ａにピン部材３２ａを挿入させた後、フォーカスフレキ２６をレンズ装置１０２の後方側にずらすことによってフォーカスフレキ２６をピン部材３２ａの溝３６に係合させる。これにより、フォーカスフレキ２６は、図１０（Ａ）に示すように取り付けられる。
【００２５】
次に、シャッターフレキ２８の孔２８ａにピン部材３２ａを挿入させる。そして、シャッターフレキ２８をレンズ装置１０２の後方側にずらしてピン部材３２ａの溝３６に係合させながら、シャッターフレキ２８の孔２８ｂにピン部材３２ｂを挿入させる。その際、一対の孔２８ａ、２８ｂの間隔Ｄ２はピン部材３２ａ、３２ｂの間隔Ｄ１よりも若干小さく形成されているので、シャッターフレキ２８は、ピン部材３２ａの溝３６に係合された状態に維持される。これにより、シャッターフレキ２８は、図１０（Ｂ）に示すように、位置決めされて取り付けられる。
【００２６】
次に、メインフレキ２４を、シャッターフレキ２８と同様にして取り付ける。即ち、メインフレキ２４の孔２４ａにピン部材３２ａを挿入させた後、ピン部材３２ａの溝３６にメインフレキ２４を係合させながら、孔２４ｂにピン部材３２ｂを挿入させる。これにより、メインフレキ２４は、図１０（Ｃ）に示すように、位置決めされて取り付けられる。
【００２７】
次に、フォーカスフレキ２６をピン部材３２ａを中心に揺動させながら、孔２６ｃの位置をメインフレキ２４の孔２４ｃに合わせた後、ねじ３８を孔２４ｃ、２６ｃを介してベース板金３０にねじ込む。これにより、フォーカスフレキ２６、メインフレキ２４が固定されるとともに、メインフレキ２４に押さえられたシャッターフレキ２８も同時に固定される。
【００２８】
このように本実施の形態によれば、ベース板金３０に一対のピン部材３２ａ、３２ｂを突設するとともに、このピン部材３２ａ、３２ｂにメインフレキ２４、フォーカスフレキ２６、シャッターフレキ２８を係合させて位置決めするようにしたので、ねじ３８で一カ所をとめるだけで、３枚のフレキシブル基板２４、２６、２８を位置決めしたまま固定することができる。これにより、レンズ装置１０２の組立効率を向上させることができる。
【００２９】
また、一対のピン部材３２ａ、３２ｂをベース板金３０と別体構造としたので、ベース板金３０を金属で形成してベース板金３０の強度を確保できるとともに、ピン部材３２ａ、３２ｂを小さく形成することができる。
【００３０】
なお、上述した実施の形態では、フォーカスフレキ２６をピン部材３２ａのみに係合させたが、ピン部材３２ｂにも係合させて位置決めしてもよい。
【００３１】
また、シャッターフレキ２８を、メインフレキ２４、フォーカスフレキ２６と同様にねじ３８で固定するようにしてもよい。
【００３２】
また、本発明は、二枚、或いは四枚以上のフレキシブル基板を同時に固定する場合にも適用することができる。
【００３３】
【発明の効果】
以上説明したように本発明に係るフレキシブル基板の接続構造によれば、フレキシブル基板に形成された一対の孔のうちの一方の孔に、溝を有するピン部材を挿入させた後、このフレキシブル基板をピン部材の溝に掛けながら、もう一方の孔に他方のピン部材を挿入させることによって、フレキシブル基板を位置決めした状態でベース部に取り付けることができ、複数枚のフレキシブル基板を位置決めしながら固定できる。これにより、複数枚のフレキシブル基板を用いたレンズ装置の組立効率を向上させることができる。
【図面の簡単な説明】
【図１】本発明に係るフレキシブル基板の接続構造が適用される電子スチルカメラを示す斜視図
【図２】図１に示したレンズ装置を示す正面図
【図３】図２に示したレンズ装置を示す左側面図
【図４】図２に示したレンズ装置を示す平面図
【図５】図２に示したレンズ装置を示す背面図
【図６】フォーカス駆動用フレキシブル基板を示す展開図
【図７】シャッター駆動用フレキシブル基板を示す展開図
【図８】図３の８−８線に沿う位置決め部材の断面図
【図９】位置決め部材を示す斜視図
【図１０】フレキシブル基板の組付方法を示す説明図
【図１１】従来のフレキシブル基板の接続構造を示す図
【符号の説明】
２２…ＣＣＤ用フレキシブル基板、２４…メイン用フレキシブル基板、２６…フォーカス駆動用フレキシブル基板、２８…シャッター駆動用フレキシブル基板、３２…位置決め部材、３２ａ、３２ｂ…ピン部材、３６…溝１０１…電子スチルカメラ、１０２…レンズ装置
【図１】
0003988109.tif 000002
【図２】
0003988109.tif 000003
【図３】
0003988109.tif 000004
【図４】
0003988109.tif 000005
【図５】
0003988109.tif 000006
【図６】
0003988109.tif 000007
【図７】
0003988109.tif 000008
【図８】
0003988109.tif 000009
【図９】
0003988109.tif 000010
【図１０】
0003988109.tif 000011
【図１１】
0003988109.tif 000012